(57)【要約】表示パネルの前面基板上にタッチ電極が設けられたタッチパネル付き表示装置において、表示装置全体としての表面積に対する画像表示領域の比率を高めて、額縁面積を低減する。タッチパネル付き表示装置（１００）（タッチパネル付き液晶表示装置）は、背面基板（１）と、該背面基板（１）の一部を露出させるように該背面基板（１）に積層される前面基板（２）とを有し、前記背面基板（１）の露出部分に外部回路と接続される駆動電極端子（７）が形成された表示パネル（３）（液晶パネル）と、該表示パネル（３）の前記前面基板（２）上に形成されたタッチ電極（４）とを備える。前記前面基板（２）には、前記駆動電極端子（７）の側方に、前記背面基板（１）の該駆動電極端子（７）が形成された側の辺に向かって延出する延出部（１１）を設ける。該延出部（１１）には、前記タッチ電極（４）で検出されたタッチ位置信号を前記外部回路に出力するための信号出力端子（１３）を設ける。
2011052359.tif 000002
【特許請求の範囲】
【請求項１】
背面基板と、該背面基板の一部を露出させるように該背面基板に積層される前面基板とを有し、前記背面基板の前記前面基板で覆われていない露出部分に、外部回路と接続される駆動電極端子が形成された表示パネルと、
前記表示パネルの前記前面基板上に形成されていて、タッチ位置に応じてタッチ位置信号を出力するタッチ電極とを有し、
前記前面基板には、前記駆動電極端子の側方に、前記背面基板の該駆動電極端子が形成された側の辺に向かって延出する延出部が設けられていて、
前記延出部には、前記タッチ電極から得られるタッチ位置信号を前記外部回路に出力するための信号出力端子が設けられている、タッチパネル付き表示装置。
【請求項２】
前記前面基板の延出部と前記背面基板との間には、シール部材が配置されている、請求項１に記載のタッチパネル付き表示装置。
【請求項３】
前記前面基板には、前記延出部及び前記駆動電極端子と並ぶように、前記背面基板の該駆動電極端子が形成された側の辺に向かって突出する突出領域が設けられている、請求項１または請求項２に記載のタッチパネル付き表示装置。
【請求項４】
前記表示パネルは、前記前面パネルと前記背面パネルとの間に液晶層が配置された液晶パネルである、請求項１から請求項３のいずれか１項に記載のタッチパネル付き表示装置。
【発明の詳細な説明】
【技術分野】
【０００１】
本発明は、画像などを表示する表示パネルと、この表示パネルの前面基板に形成されたタッチ電極とを備え、タッチ位置を検出可能に構成されたタッチパネル付き表示装置に関する。
【背景技術】
【０００２】
近年、パーソナル・デジタル・アシスタント（ＰＤＡ）、パームトップコンピュータ、携帯用ゲーム機器などの普及に伴い、タッチパネル付き表示装置が広く用いられている。このタッチパネル付き表示装置は、液晶パネルなどの表示パネル上に、入力部としてのタッチパネルを重ね合わせた構成を有していて、該タッチパネルによる入力操作が可能に構成されている。【０００３】
例えば、タッチパネル付き液晶表示装置では、透明なタッチパネルが液晶パネルの画像表示領域に重ねられていて、タッチパネルを通して液晶パネルに表示される画像を視認することができる。そして、このタッチパネル付き液晶表示装置では、タッチパネルの外面、すなわち、液晶パネルの表示画像を観察する側の表面を使用者が指などによって押圧すると、その位置を検出する。これにより、タッチパネルの入力内容をＰＤＡなどの使用機器の制御に反映させることができる。【０００４】
上述のタッチパネル付き表示装置に用いられる表示パネルでは、画像表示領域を構成する画素に形成された電極に電圧を印加することにより、画像を表示している。そして、表示パネルを構成する前面基板及び背面基板のうちいずれか一方の基板の画像表示領域外の周辺領域に、画素の電極と接続された電極配線が繋がる駆動電極端子が設けられている。表示パネルには、この駆動電極端子に接続されたフレキシブルプリント基板（ＦＰＣ）などを介して、表示パネルの外部の回路基板に形成された駆動回路などの外部回路から、画像表示領域で画像表示を行うための信号や電源電圧などが供給される。【０００５】
また、上述のタッチパネル付き表示装置に用いられるタッチパネルにおいても、タッチ位置を検出して外部の回路にその位置情報を伝えるための信号出力端子を設ける必要がある。この信号出力端子は、表示パネルの画像表示領域と重なる位置に形成できないため、タッチパネル上の表示パネルの周辺領域と重なる部分に設ける必要がある。【０００６】
図４は、従来のタッチパネル付き液晶表示装置の構成を示す斜視図である。【０００７】
図４に示すように、タッチパネル付き液晶表示装置５０は、図示しない液晶層を挟み込む背面基板５１及び前面基板５２を有する液晶パネル５３と、該前面基板５２上の液晶パネル５３の画像表示領域と重なる部分にタッチ電極５４が形成されたタッチパネルとを備えている。また、前面基板５２と背面基板５１とを外側から挟むように、一対の偏光板が配置されている。なお、図４には、監視者側の偏光板５５のみが示されている。【０００８】
液晶パネル５３は、平面視で、背面基板５１が前面基板５２よりも大きく形成されている。液晶パネル５３において、背面基板５１の前面基板５２に覆われていない露出部分５６には、該液晶パネル５３に駆動電圧や画像表示のための信号を入力するための駆動電極端子５７が形成されている。駆動電極端子５７は、フレキシブルプリント基板５８を介して、図示しない外部回路が形成された回路基板と接続されている。なお、駆動電極端子５７の近傍には、液晶パネル５３で画像表示を行うためのドライバ回路などが形成されたＩＣチップ５９が配置されている。【０００９】
前面基板５２の背面基板５１とは反対側の表面には、画像表示領域と重なる部分にタッチ電極５４が形成されている。また、前面基板５２において、タッチ電極５４が形成されたタッチ位置検出領域の周辺領域６０には、タッチ電極５４から引き出された接続配線６２が接続される信号出力端子６１が形成されている。信号出力端子６１には、フレキシブルプリント基板６３が接続されている。これにより、タッチ電極５４からのタッチ位置信号は、フレキシブルプリント基板６３を介して、図示しない外部の回路基板に出力される。【００１０】
図４に示すタッチパネル付き液晶表示装置５０では、駆動電極端子５７が形成された背面基板５１の露出領域５６の部分と、前面基板５２において信号出力端子６１が形成されている周辺領域６０の部分とが、画像表示に寄与しない無効領域となる。しかしながら、特にＰＤＡなどのモバイル機器では、機器全体の小型化が求められている。そのため、表示装置の画像表示に寄与しない無効領域の面積である、いわゆる額縁面積を低減するという挟額縁化が求められている。【００１１】
これに対し、タッチパネルにおいて、タッチ電極が形成されていない周辺領域の面積を低減するために、該タッチパネルの１辺から外方に突出する張り出し部を設けて、この張り出し部にフレキシブルプリント基板を熱圧着する構成が提案されている（特開２００５−１５８００８号公報参照）。
【発明の開示】
【００１２】
上記特開２００５−１５８００８号公報に記載のタッチパネルでは、プリント基板との接続部を設けるための周辺領域がタッチパネルの一辺全体に亘って形成されるのを防ぐことができる。しかし、タッチパネルが組み込まれるモバイル機器の外形形状を工夫して張り出し部を覆う必要がある。特に、タッチパネル付き表示装置の場合には、タッチパネルと略矩形状の表示パネルとを積層した状態で額縁面積を縮小しなければならないため、上述の張り出し部を設けても表示パネルの無効領域を低減することはできず、額縁面積を縮小することはできない。したがって、タッチパネル付き表示装置の場合には、上記特開２００５−１５８００８号公報に開示されている構成は、効果的な額縁面積の低減策とは言えなかった。
【００１３】
そこで、表示パネルの前面基板上にタッチ電極が設けられたタッチパネル付き表示装置において、表示装置全体の表面積に対する画像表示領域の比率を高めて、額縁面積を低減することを目的とする。
【００１４】
本発明の一実施形態にかかるタッチパネル付き表示装置は、背面基板と、該背面基板の一部を露出させるように該背面基板に積層される前面基板とを有し、前記背面基板の前記前面基板で覆われていない露出部分に、外部回路と接続される駆動電極端子が形成された表示パネルと、該表示パネルの前記前面基板上に形成されていて、タッチ位置に応じてタッチ位置信号を出力するタッチ電極とを有し、前記前面基板には、前記駆動電極端子の側方に、前記背面基板の該駆動電極端子が形成された側の辺に向かって延出する延出部が設けられていて、該延出部には、前記タッチ電極から得られるタッチ位置信号を前記外部回路に出力するための信号出力端子が設けられている。
【００１５】
本発明によれば、タッチ電極から得られるタッチ位置信号を出力する信号出力端子を、駆動電極端子が設けられる周辺領域に形成するため、画像表示領域以外の無効領域を低減することができる。これにより、額縁面積を低減することができる。
【図面の簡単な説明】
【００１６】
【図１】図１は、本発明の一実施形態にかかるタッチパネル付き液晶表示装置の概略構成を示す斜視図である。
【図２】図２は、本発明の一実施形態にかかるタッチパネル付き液晶表示装置における駆動電極端子と信号出力端子との位置関係を示す平面図である。
【図３】図３は、本発明の一実施形態にかかるタッチパネル付き液晶表示装置における前面基板の延出部部分の構成を示す断面図（図２におけるＡ−Ａ’線断面図）である。
【図４】図４は、従来のタッチパネル付き表示装置の概略構成を示す斜視図である。
【発明を実施するための形態】
【００１７】
本発明の一実施形態にかかるタッチパネル付き表示装置は、背面基板と、該背面基板の一部を露出させるように該背面基板に積層される前面基板とを有し、前記背面基板の前記前面基板で覆われていない露出部分に、外部回路と接続される駆動電極端子が形成された表示パネルと、該表示パネルの前記前面基板上に形成されていて、タッチ位置に応じてタッチ位置信号を出力するタッチ電極とを有し、前記前面基板には、前記駆動電極端子の側方に、前記背面基板の該駆動電極端子が形成された側の辺に向かって延出する延出部が設けられていて、該延出部には、前記タッチ電極から得られるタッチ位置信号を前記外部回路に出力するための信号出力端子が設けられている。（第１の構成）。
【００１８】
上記の構成により、タッチ電極から得られるタッチ位置検出信号を出力する信号出力端子が、背面基板の一つの辺の近傍であって、駆動電極端子と並ぶ位置に形成された前面基板の延出部上に形成される。このため、前面基板における位置検出領域以外の周辺領域が背面基板の周辺領域と重なり合うこととなり、タッチパネル付き表示装置全体として、画像表示に寄与しない無効領域の大きさである額縁面積を低減することができる。
【００１９】
前記第１の構成において、前記前面基板の延出部と前記背面基板との間には、シール部材が配置されていることが好ましい（第２の構成）。このようにすることで、前面基板の延出部が背面基板上に固着される。これにより、前面基板の延出部上に形成された信号出力端子に外部の回路基板と接続するためのフレキシブルプリント基板を接続する際に、延出部に押圧力が加わっても、前面基板が破損することを効果的に回避することができる。
【００２０】
前記第１または第２の構成において、前記前面基板には、前記延出部及び前記駆動電極端子と並ぶように、前記背面基板の前記駆動電極端子が形成された側の辺に向かって突出する突出領域が設けられていることが好ましい（第３の構成）。このようにすることで、信号出力端子が形成されていない部分における、前面基板と背面基板との接合をより強固なものとすることができ、表示パネルの破損を防止することができる。
【００２１】
前記第１から第３の構成のうちいずれか一つの構成において、前記表示パネルは、前記前面パネルと前記背面パネルとの間に液晶層が配置された液晶パネルであることが好ましい（第４の構成）。
【００２２】
（実施形態）
以下、本発明の一実施形態について、図面を参照しながら説明する。
【００２３】
なお、以下の実施形態の説明では、タッチパネル付き表示装置の一例として、ＰＤＡなどの画像表示に用いられるタッチパネル付き液晶表示装置の構成例を示す。しかし、以下の説明は、タッチパネル付き表示装置の構成や用途を限定するものではない。タッチパネル付き表示装置としては、有機または無機のＥＬディスプレイや電界放出型の冷陰極表示装置や、プラズマディスプレイパネル（ＰＤＰ）などの各種表示パネルを備えた表示装置であってもよい。また、タッチパネル付き表示装置の用途も、ＰＤＡなどのモバイル機器に限らず、キャッシュディスペンサーや博物館での画像説明システムの表示端末等、タッチパネルを入力手段として備える各種の据え置き型タッチパネル付き表示装置として用いることができる。
【００２４】
また、以下で参照する各図は、実施形態の構成部材のうち、説明するために必要な主要部材のみを簡略化して示したものである。従って、本発明にかかる表示装置は、参照する各図に示されていない任意の構成部材を備えることができる。さらに、各図中の部材の寸法は、実際の構成部材の寸法および各部材の寸法比率等を必ずしも忠実に表したものではない。
【００２５】
図１は、本発明の一実施形態にかかるタッチパネル付き液晶表示装置（タッチパネル付き表示装置）の全体構成を示す斜視図である。
【００２６】
本実施形態のタッチパネル付き液晶表示装置１００は、表示パネルである液晶パネル３と、該液晶パネル３の前面基板２上に配置されたタッチ電極４とを有している。
【００２７】
液晶パネル３は、ガラス製の背面基板１と同じくガラス製の前面基板２とが、所定間隔を隔てて配置されていて、背面基板１と前面基板２との間には、図示しない液晶層が設けられている。
【００２８】
前面基板２の前面側には第１の偏光板５が、図示を省略するが背面基板１の背面側には第２の偏光板がそれぞれ配置されている。これらの一対の偏光板は、それぞれの偏光角を、一例として、略９０度異ならせた状態で配置されている。
【００２９】
また、同じく図示を省略するが、液晶パネル３の背面側には、該液晶パネル３で画像を表示するために必要な照射光を出射するバックライトが配置されている。本実施形態のタッチパネル付き液晶表示装置１００のバックライトは、例えば、サイドライト型またはエッジライト型と呼ばれるタイプであり、平板状の導光体と、その側面に設けられた冷陰極蛍光管または発光ダイオードなどの光源とを備えている。サイドライト型バックライトでは、光源から出射した光が導光体の側面から入射して、該導光体内部で反射を繰り返して拡散伝搬され、液晶パネル３に対向する側の導光体の主面から均一光として出射される。
【００３０】
なお、液晶表示装置１００のバックライトとしては、上記したサイドライト型に限られるものではなく、直下型とばれるタイプのバックライトを用いてもよい。この直下型のバックライトは、液晶パネル３の背面に、液晶パネル３側に光を出射するように光源が平面的に配置された構成を有している。これにより、光源から出射された光は、集光シートや拡散シートなどの光学シートを介して液晶パネルに入射される。また、光源も、冷陰極蛍光管や発光ダイオードに限らず、熱陰極蛍光管やＥＬ発光体などを用いてもよい。
【００３１】
さらに、液晶パネル３としても、バックライトからの照射光を画像表示に用いる透過型または半透過型と呼ばれる液晶パネルに限らず、前面基板２を透過して入射する外光を背面基板１に形成された反射電極で反射させる反射型の液晶パネルを用いてもよい。反射型の液晶パネルの場合には、バックライトと背面基板１の背面側に配置される偏光板とが不要となる。
【００３２】
前面基板２の背面基板１側には、カラー画像表示のためにそれぞれの画素に対応してカラーフィルタが設けられているとともに、液晶層に所定の電圧を印加する対向電極も設けられている。
【００３３】
背面基板１の前面基板２側には、複数の行および複数の列を形成するように複数の画素電極がマトリクス状に配置されている。これらの画素電極と前面基板２の対向電極との間の電位を調整して液晶層の液晶粒子の配向状態を変化させることによって、液晶パネル３に文字や画像が表示される。したがって、背面基板１において画素電極が形成されている領域が液晶パネル３の画像表示領域となる。
【００３４】
背面基板１の画像表示領域には、画素電極の行方向に並んで配置された複数のゲート線と、列方向に並んで配置された複数のソース線と、互いに直交するゲート線とソース線との交点近傍に位置し、各画素電極に接続されたＴＦＴとが形成されている。このような構成において、ゲート線に順次ゲート電圧が印加されることで、行ごとにスイッチング素子であるＴＦＴがオンとなって選択される。そして、選択された行に属するそれぞれの画素電極に、ソース線を介して、画像表示に必要な電圧が印加される。背面基板１及び前面基板２の内部構造は、一般的な液晶パネルと同様なので、詳細な説明は省略する。
【００３５】
なお、上記の説明では、カラー画像の表示が可能な液晶パネル３として説明したが、タッチパネル付き表示装置の表示パネルは、カラー表示のものに限られず、単色での表示が行われるものも含まれる。また、上記の説明では、背面基板１に形成される画素電極の駆動を、スイッチング素子であるＴＦＴを用いて行う、いわゆるアクティブマトリクス方式の液晶パネルについて説明した。しかしながら、タッチパネル付き表示装置の表示パネルである液晶パネルの駆動方法は、アクティブマトリクス駆動に限られることはなく、単純マトリクス駆動も含まれ、さらには、液晶層に横方向に電界を印加するＩＰＳ方式など他の駆動方式のものも含まれる。
【００３６】
図１に示すように、液晶パネル３の背面基板１は、平面視で前面基板２よりも少し大きな表面積を有している。また、背面基板１は、液晶パネル３の一辺側に、背面基板１が前面基板２で覆われていない露出部分６を有している。この背面基板１の露出部分６には、画像表示領域に形成されたゲート線やソース線から引き出された図示しない引き出し線が接続される駆動電極端子７が設けられている。
【００３７】
図１に示すように、本実施形態の液晶パネル３では、前面基板２に、背面基板１の駆動電極端子７が形成された側の辺１ａに向かって延出した後述する延出部１１と、同じく辺１ａに向かって突出した突出領域部１２とが設けられている。このため、本実施形態の液晶パネル３では、背面基板１のうち前面基板２に覆われていない露出領域６は、背面基板１の駆動電極端子７が形成された側の辺１ａの中央部分にのみ形成されている。
【００３８】
駆動電極端子７には、フレキシブルプリント基板８が接続されていて、液晶パネル３に画像表示のための各種信号や液晶パネル３を動作させるための電源電位が、図示しない外部回路から供給される。なお、背面基板１の駆動電極端子７と外部回路との接続手段は、上記のフレキシブルプリント基板に限定されるものではなく、コネクタなど、回路基板を接続する他の接続手段を用いることができる。
【００３９】
図１に示す本実施形態の液晶表示パネル３は、背面基板１の露出領域６に、液晶パネル３を駆動するためのＩＣチップなどの半導体素子９が配置されるＣＯＧ（Ｃｈｉｐ  Ｏｎ  Ｇｌａｓｓ）タイプのパネルである。しかしながら、これ以外の構成のパネルであってもよい。例えば、フレキシブルプリント基板８上に、液晶パネル３を駆動するための半導体素子やコンデンサなどの回路素子が搭載されるＴＣＰ（Ｔａｐｅ  Ｃａｒｒｉｅｒ  Ｐａｃｋａｇｅ）技術を採用してもよい。
【００４０】
前面基板２の背面基板１とは反対側の面には、ＩＴＯ（Ｉｎｄｉｕｍ  Ｔｉｎ  Ｏｘｉｄｅ）などの透明導電膜によって、タッチ位置を検出するためのタッチ電極４が形成されている。タッチ電極４としては、液晶パネル３の画像表示面全体を覆うような平面視で矩形状のものや、複数の短冊状の電極が所定間隔で配置されたものなど、各種パターンを用いることができる。前面基板２において、タッチ電極４が設けられている領域が、タッチパネルとしての位置検出機能を有する位置検出領域となる。
【００４１】
詳しくは後述するように、前面基板２に設けられた延出部１１上には、位置検出領域に形成されたタッチ電極４から引き出された引き出し線１４が接続される信号出力端子１３が形成されている。そして、タッチ電極４の電圧値などによって表されるタッチ位置信号が、信号出力端子１３に接続されたフレキシブルプリント基板１５を介して、図示しない外部の回路基板に出力される。ここでも、信号出力端子１３と外部回路との接続手段として、フレキシブルプリント基板以外のコネクタなど他の接続手段を用いることができることは、言うまでもない。
【００４２】
次に、本実施形態にかかるタッチパネル付き液晶表示装置１００において、前面基板２に形成された延出部１１の構成を、平面構成を示す図２と断面構成を示す図３とを用いてより詳しく説明する。
【００４３】
図２に示すように、タッチパネル付き液晶表示装置１００には、液晶パネル３の前面基板２上に、透明電極であるタッチ電極４が形成されている。既述のとおり、背面基板１は、辺１ａ側（図２において下側に位置する辺）に背面基板１が前面基板２に覆われてない露出領域６が形成されるように、前面基板２よりも表面積が大きくなるように形成されている。この背面基板１の露出領域６には、液晶パネル３の画像表示領域から引き出された図示しない接続配線が接続される駆動電極端子７が形成されている。駆動電極端子７には、フレキシブルプリント基板８が接続されていて、該フレキシブルプリント基板８を介して、図示しない外部回路から、液晶パネル３で画像表示を行うための表示信号や電源電圧が供給される。
【００４４】
既述のとおり、前面基板２における背面基板１の露出領域６の側方（図２において右側）には、該背面基板１の駆動電極端子７が形成された側の辺１ａに向かって延出する延出部１１が形成されている。そして、延出部１１には、前面基板２上に形成されたタッチ電極４に繋がる接続線１４と、該接続線１４が接続された信号出力端子１３とが形成されている。この信号出力端子１３にはフレキシブルプリント基板１５が接続されている。これにより、タッチ電極４の電圧変動などとして表されるタッチ位置信号が、フレキシブルプリント基板１５を介して図示しない外部の回路基板に出力される。
【００４５】
このように、延出部１１に信号出力端子１３を設けることで、液晶パネル３の駆動電極端子７を形成するために必然的に生じてしまう背面基板１の画像表示領域以外の周辺領域を、信号出力端子１３を形成する領域として有効に活用することができる。
【００４６】
このため、図４に示す従来のタッチパネル付き液晶表示装置５０のように、画像表示に寄与しない無効領域が広範囲に形成されるのを防止できる。すなわち、液晶パネルに、駆動電極端子５７を形成するための露出領域５６と、前面基板５２上にタッチ電極５４で検出されたタッチ位置信号を出力する信号出力端子６１を形成するための周辺領域６０とが、それぞれ形成されることを回避することができる。
【００４７】
したがって、本実施形態のタッチパネル付き液晶表示装置１００では、背面基板１の表面積に対する画像表示領域の比率を大きくすることができ、画像表示に寄与しない無効領域の面積である額縁面積を小さくすることができる。
【００４８】
また、本実施形態のタッチパネル付き液晶表示装置１００では、前面基板２における背面基板１の露出領域６の延出部１１とは反対側の側方（図２において左側）にも、背面基板１の辺１ａに向かって突出する突出領域１２が形成されている。このように突出領域１２を設けることにより、前面基板２と背面基板１との接合部分を大きくすることができるため、液晶パネル３の強度を向上させることができる。
【００４９】
図３は、本実施形態のタッチパネル付き液晶表示装置１００において、前面基板２の延出部１１の断面構成を示す図である。すなわち、図３は、平面構成を示す図２におけるＡ−Ａ’線の断面を示したものである。
【００５０】
図３に示すように、タッチパネル付き液晶表示装置１００は、前面基板２の延出部１１部分では、背面基板１と前面基板２との間にシール部材１７が配置されている。このようにすることで、前面基板２の延出部１１に形成された信号出力端子１３にフレキシブルプリント基板１５を圧着する際に図３の下向き方向に押圧力が加わった場合でも、シール部材１７によって、前面基板２の延出部１１に応力が集中するのを緩和できる。すなわち、延出部１１において背面基板１と前面基板２との間に液晶層が存在している場合には、フレキシブルプリント基板１５を信号出力端子１３に圧着する際に、背面基板１と前面基板２との隙間が変化して該背面基板１及び前面基板２が変形してしまう。これに対し、圧力を受けても大きく変位しないシール材１７を上述のように背面基板１と前面基板２との間に挟み込むことで、圧着の際に前面基板２と背面基板１との隙間の変化を防止することができる。これにより、前面基板２の延出部１１に応力が集中するのを緩和することができる。よって、上述の構成により、圧着の際に、前面基板２の延出部１１にクラックが生じたり、破損したりすることを防止することができる。
【００５１】
なお、延出部１１と背面基板１との間に配置されているシール部材１７は、液晶パネル３における画像表示領域を囲む周辺領域部分に配置されている。このシール部材１７は、背面基板１と前面基板２との間に液晶層１６を挟んだ状態で固着しているシール部材を延出部１１まで延長することによって構成してもよいし、液晶層１６を囲む上記シール部材とは別に設けてもよい。
【００５２】
図３に示すように、前面基板２の背面基板１とは反対側の面に形成されたタッチ電極４に接続された接続配線１４の端部は、信号出力端子１３と接続されている。なお、図３においてＢで示す領域が、液晶パネル３における画像表示が行われない周辺領域であり、図３においてＣで示す領域が、液晶パネル３における画像表示領域である。この図３から分かるように、本実施形態では、画像表示領域から離れた位置で信号出力端子１３にフレキシブルプリント基板１５を圧着するので、圧着時の力や熱の影響が該画像表示領域に及ぶのを低減することができる。
【００５３】
以上のように、本実施形態にかかるタッチパネル付き液晶表示装置１００では、液晶パネル３において、駆動電極端子７が形成される背面基板１の露出領域６と並んで、タッチ電極４から引き出される引き出し線１４が接続される信号出力端子１３を形成した。このため、駆動電極端子７のために形成される、表示領域ではない周辺領域を、タッチ電極４からのタッチ位置信号を出力する信号出力端子１３を形成する部分として有効に活用することができる。これにより、背面基板１の表面積に対して、画像表示領域以外の領域である無効領域の面積である額縁面積の比率を小さくすることができる。
【００５４】
しかも、前面基板２に、背面基板１の露出領域６を挟んで延出部１１とは反対側に、突出領域１２を設けたため、前面基板２と背面基板１とを有する液晶パネル３の強度の向上を図れる。
【００５５】
なお、本実施形態では、背面基板の一つの辺の近傍にのみ駆動電極端子を形成した例を示したが、本発明のタッチパネル付き表示装置はこの構成に限られるものではなく、背面基板の２以上の辺の近傍に駆動電極端子が形成された構成であってもよい。この場合、タッチ電極と引き出し線を介して接続される信号出力端子は、背面基板の駆動電極端子が形成されている辺のうち少なくとも一つ以上の辺に形成されていればよい。
【００５６】
さらに、本実施形態では、背面基板の一つの辺の近傍に形成された駆動電極端子が、その辺の中央部に配置される例を示した。しかしながら、本発明のタッチパネル付き表示装置はこの構成に限られるものではなく、背面電極の辺の左右いずれかの端部に駆動電極端子が形成される構成としてもよい。また、背面電極の一つの辺の近傍に、２つ以上の駆動電極端子が並んで形成されていてもよい。これらの場合には、前面基板の延出部は、駆動電極端子が形成されている露出部分に隣り合う位置であれば、背面基板の辺の中央部分など、任意の位置に設けてもよい。
【産業上の利用可能性】
【００５７】
本発明は、表示パネルの前面基板上に形成されたタッチ電極を用いて、表示画像に対応した情報入力操作が可能なタッチパネル付き表示装置として利用可能である。
【図１】
2011052359.tif 000003
【図２】
2011052359.tif 000004
【図３】
2011052359.tif 000005
【図４】
2011052359.tif 000006
【国際調査報告】
2011052359.tif 000007
2011052359.tif 000008